(57)【要約】【課題】異なる厚みを有する拡張ボードを収容しつつ確実に位置決めすると共にＥＭＩ対策をもすることができる表示装置及び拡張ボード収容器を提供すること。【解決手段】本発明は、機能を拡張するための拡張ボードＢ，Ｂ１を収容する収容部を有する表示装置であって、収容部は、拡張ボードを収容する収容空間を形成する第１容器１１及び第２容器２５と、異なる厚みを有する拡張ボードＢ，Ｂ１を収容するために第１容器１１と第２容器２５との移動により収容空間Ｑの容積を変化させる可変部Ｍと、拡張ボードＢ，Ｂ１が収容空間Ｑに挿入された際に、拡張ボードＢ，Ｂ１の異なる厚みに合わせて容積を変化させるように可変部Ｍを付勢する弾性体からなる付勢部Ｒと、を有する、表示装置１である。【選択図】図３
2017142350.tif 000002
【特許請求の範囲】
【請求項１】
機能を拡張するための拡張ボードを収容する収容部を有する表示装置であって、
前記収容部は、前記拡張ボードを収容する収容空間を形成する第１容器及び第２容器と、
異なる厚みを有する前記拡張ボードを収容するために前記第１容器と前記第２容器との移動により前記収容空間の容積を変化させる可変部と、
前記拡張ボードが前記収容空間に挿入された際に、前記拡張ボードの前記異なる厚みに合わせて前記容積を変化させるように前記可変部を付勢する弾性体からなる付勢部と、を有する、
表示装置。
【請求項２】
前記付勢部は、前記第２容器を前記第１容器に対して近位する方向に前記可変部を付勢する、
請求項１に記載の表示装置。
【請求項３】
前記第１容器は、前記拡張ボードが有する第１接続部と電気的に接続するための第２接続部とが接続される位置に取り付けられており、
前記付勢部は、前記拡張ボードが前記収容空間に挿入された際に、前記第２容器を前記拡張ボードに接する方向に付勢して前記第１接続部と前記第２接続部とが接続される位置に前記拡張ボードを位置決めする、
請求項１または２に記載の表示装置。
【請求項４】
前記可変部は、前記第２容器を前記第１容器に対して摺動させる摺動部を有する、
請求項１から３いずれか１項に記載の表示装置。
【請求項５】
前記可変部は、前記第２容器を前記収容空間の前記容積が小さくなる方向に付勢する前記付勢部からなる、
請求項１から３いずれか１項に記載の表示装置。
【請求項６】
前記第２容器は、前記第１容器に収容されている、
請求項５に記載の表示装置。
【請求項７】
機能を拡張するための拡張ボードを収容する拡張ボード収容器であって、
前記拡張ボードを収容する収容空間を形成する第１容器及び第２容器と、
異なる厚みを有する前記拡張ボードを収容するために前記第１容器と前記第２容器との移動により前記収容空間の容積を変化させる可変部と、
前記拡張ボードが前記収容空間に挿入された際に、前記拡張ボードの前記異なる厚みに合わせて前記容積を変化させるように前記可変部を付勢する弾性体からなる付勢部と、を有する、
拡張ボード収容器。
【発明の詳細な説明】
【技術分野】
【０００１】
本発明は、表示装置及び拡張ボード収容器に関し、特に、機能を拡張するための拡張ボードを収容することができる表示装置及び拡張ボード収容器に関する。
【背景技術】
【０００２】
モニタ（表示装置）の需要が高まりつつある。利用者の需要に従って表示装置に必要とされる端子の数や種類は異なっている。これらすべての需要に対応した表示装置を製造した場合、生産側のコストが増大する。そのため、表示装置は、利用者の需要の高い端子や機能が標準的に搭載されている。そして、表示装置は、標準的な端子等以外の端子等は拡張ボードを別途取り付けることにより利用者の需要に対応できるように構成されている。また、デザイン性の理由により、あるいは狭い場所への設置が求められつつあることから、表示装置の厚みは薄くすることが求められている。それに従い、拡張ボードの厚みも薄いものに変更される予定となっている。薄型の拡張ボード又は厚型の拡張ボードを持った利用者に対応するため、２種類のボードを収容することができる表示装置が求められる。
【０００３】
厚みの異なる２種類の拡張ボード（横幅・奥行・コネクタの高さは同じとする）を表示装置に対応させようとする方法として挿入口を複数設ける方法が考えられる。しかし、このような方法を取った場合、表示装置には、２種類分の挿入口に対応した実装面積を確保しなければならい。
【０００４】
特許文献１には、異なる大きさの挿入物（モジュラープラグ）を挿入するための開口部の大きさを変更する変更手段を備える構造が開示されている。この構造において、開口部に挿入物の厚さに合わせて摺動自在な蓋部が設けられている。
【先行技術文献】
【特許文献】
【０００５】
【特許文献１】特開平１０−３９５８号公報
【発明の概要】
【発明が解決しようとする課題】
【０００６】
特許文献１にかかる構造を異なる大きさの拡張ボードを収容するための表示装置に適用しようとすると、薄型の拡張ボードを挿入した際に拡張ボードＢが確実に位置決めされないという課題がある（図１３参照）。それにより、この構造では拡張ボードと表示装置とのそれぞれのコネクタＧ１，Ｇ２同士がぶつかって破損する虞がある。また、この構造では、拡張ボードと表示装置との間に隙間が生じ、ＥＭＩ（Electro-Magnetic Interference：電磁妨害）の影響が悪化する虞がある。
本発明は、異なる厚みを有する拡張ボードを収容しつつ確実に位置決めすると共にＥＭＩ対策をもすることができる表示装置及び拡張ボード収容器を提供することを目的とする。
【課題を解決するための手段】
【０００７】
本発明の一態様は、機能を拡張するための拡張ボードを収容する収容部を有する表示装置であって、
前記収容部は、前記拡張ボードを収容する収容空間を形成する第１容器及び第２容器と、
異なる厚みを有する前記拡張ボードを収容するために前記第１容器と前記第２容器との移動により前記収容空間の容積を変化させる可変部と、
前記拡張ボードが前記収容空間に挿入された際に、前記拡張ボードの前記異なる厚みに合わせて前記容積を変化させるように前記可変部を付勢する弾性体からなる付勢部と、を有する、
表示装置である。
【０００８】
本発明の一態様は、機能を拡張するための拡張ボードを収容する拡張ボード収容器であって、
前記拡張ボードを収容する収容空間を形成する第１容器及び第２容器と、
異なる厚みを有する前記拡張ボードを収容するために前記第１容器と前記第２容器との移動により前記収容空間の容積を変化させる可変部と、
前記拡張ボードが前記収容空間に挿入された際に、前記拡張ボードの前記異なる厚みに合わせて前記容積を変化させるように前記可変部を付勢する弾性体からなる付勢部と、を有する、
拡張ボード収容器である。
【発明の効果】
【０００９】
本発明にかかる表示装置及び拡張ボード収容器によると、異なる厚みを有する拡張ボードを収容しつつ確実に位置決めすると共にＥＭＩ対策をもすることができる。
【図面の簡単な説明】
【００１０】
【図１】本発明の第１実施形態にかかる表示装置の背面方向から見た斜視図である。
【図２】表示装置に拡張ボードを挿入する状態を示した斜視図である。
【図３】拡張ボードを収容する収容器を示した斜視図である。
【図４】別方向から見た収容器を示した斜視図である。
【図５】収容器の分解斜視図である。
【図６】収容器が表示装置内部の取り付けられた状態を示す断面図である。
【図７】収容器に薄型の拡張ボードが挿入された状態を示す側面図である。
【図８】収容器に厚型の拡張ボードが挿入された状態を示す断面図である
【図９】収容器に厚型の拡張ボードが挿入された状態を示す側面図である。
【図１０】本発明の第２実施形態にかかる収容器の断面図である。
【図１１】第１実施形態にかかる収容器の変形例である。
【図１２】第２実施形態にかかる収容器の変形例である。
【図１３】本発明を用いない場合の問題点を示した図である。
【発明を実施するための形態】
【００１１】
［第１実施形態］
以下、図面を参照しつつ本発明にかかる表示装置の実施形態について説明する。
【００１２】
図１及び図２に示されるように、表示装置１の裏面２には、拡張ボードＢを挿入するための挿入口３が設けられている。挿入口３は通常、蓋４で覆われている。挿入口３は、厚みのある拡張ボードＢの厚みに対応した開口が設けられている。表示装置１に拡張ボードＢを取り付ける場合、蓋４を外し挿入口３から拡張ボードを挿入する。図３及び図４に示されるように、挿入口３の内部には、拡張ボードＢを収容するための収容器１０が設けられている。収容器１０には、挿入方向Ｐから拡張ボードＢが挿入される。
【００１３】
図５に示されるように、収容器１０は、幅方向に門形断面を有する第１容器（シャーシ）１１と第２容器（シャーシ）２５とで拡張ボードＢを収容する収容空間Ｑ（図３参照）を形成する。第１容器１１は、表示装置１内で表示装置１側に固定される。第１容器１１は、矩形の板状体１１ａからなる。板状体１１ａの幅方向（Ｙ方向）の両端近傍には、両端に平行となるように上方（Ｚ方向）に突出したレール１４，１５が形成されている。レール１４，１５は、挿入方向Ｐ（−Ｘ方向）に対して台形断面に形成されている。
【００１４】
レール１４，１５は、例えば、板状体１１ａにプレス成形を行うことにより形成される。これにより、レール１４，１５は、拡張ボードＢが挿入される際のガイドとなる。また、レール１４，１５により、拡張ボードＢが挿入される際の摩擦を低減することができる。板状体１１ａの幅方向の両端には、外部空間に向かってフランジ１７，１８が形成されている。
【００１５】
フランジ１７，１８には、バネ２３を引っ掛けるための穴１９がそれぞれ形成されている。バネ２３は、フランジ１７，１８上で対に設けられている。バネ２３の両端は、フック状に形成されており、穴１９に引っ掛けられる。フランジ１７，１８によって板状体１１ａは、表示装置１側に固定される。板状体１１ａの幅方向の両端には板状体１１ａに対して上方に起立した矩形の側板１２，１３が設けられている。側板１２，１３は、拡張ボードＢが挿入される際のガイドとなる。側板１２，１３には、外部空間に向かって突出したガイドピン１６が両端近傍にそれぞれ設けられている。ガイドピン１６には、ネジＣを固定するためのネジ穴１６ａが形成されている。
【００１６】
ガイドピン１６によって、第１容器１１と第２容器２５とが組み合わされる。第２容器２５は、矩形の板状体２５ａからなる。板状体２５ａの幅方向（Ｙ方向）の両端近傍には、両端に平行となるように下方（−Ｚ方向）に突出したレール２６，２７が形成されている。レール２６，２７は、挿入方向Ｐ（−Ｘ方向）に対して台形断面に形成されている。レール２６，２７は、例えば、板状体２５ａにプレス成形を行うことにより形成される。これにより、レール２６，２７は、拡張ボードＢが挿入される際のガイドとなる。
【００１７】
また、レール２６，２７により、拡張ボードＢが挿入される際の摩擦を低減することができる。板状体２５ａの幅方向の両端には板状体２５ａに対して下方に垂下した矩形の側板２８，２９が設けられている。側板２８，２９の両端近傍には、ガイドピン１６を案内するガイド穴３０がそれぞれ設けられている。
【００１８】
第１容器１１と第２容器２５とが組み合わされた際、側板２８，２９は、側板１２，１３の外面側に重ねられる。そのとき、ガイドピン１６がガイド穴３０に案内され、第２容器２５は第１容器１１に対して上下方向（±Ｚ方向）に摺動自在となる。即ち、各ガイドピン１６と各ガイド穴３０とにより収容器１０の摺動部（可変部Ｍ）を構成する。可変部Ｍによって、第１容器１１と第２容器２５との移動により収容空間Ｑの容積が変化する。ガイドピン１６がガイド穴３０の上端に接することにより、第２容器２５の下方向の変位が規制される。側板２８，２９には、外部空間に向かって突出するようにカラー３１が対に設けられている。
【００１９】
カラー３１には、ネジＣを固定するためのネジ穴３１ａが形成されている。第１容器１１と第２容器２５とが組み合わされた際、カラー３１には、それぞれフランジ１７，１８に設けられたバネ２３がそれぞれ引っ掛けられる（図３及び図４参照）。カラー３１には、ネジＣが螺入されており、バネ２３の脱落が防止される。
【００２０】
バネ２３の長さは、カラー３１に引っ掛けられた際に引張力Ｔが発生するように調整されている（図３参照）。これにより、各カラー３１には、付勢力Ｆ１が与えられる（図３参照）。そして、各バネ２３によって生じた付勢力Ｆ１の合力によって第２容器２５には、各カラー３１を介して第１容器１１に対して接近する方向に付勢力Ｆが与えられる。即ち、各バネ２３と各カラー３１とにより収容器１０の付勢部Ｒを構成する。つまり、付勢部Ｒは、第２容器２５を第１容器１１に対して近位する方向に上記の可変部Ｍを付勢する。バネ２３は、弾性体であればどのようなものを用いても良い。付勢力Ｆにより、第２容器２５が第１容器１１から外れることが防止される。
【００２１】
図６及び図７に示されるように、収容器１０は、表示装置１内部に取り付けられる。表示装置１内部には、拡張ボードＢが有するコネクタ（第１接続部）Ｖ１と電気的に接続するためのコネクタ（第２接続部）Ｖ２が設けられている。収容器１０は、通常状態では薄型の拡張ボードＢの厚みに適した収容空間Ｑを有しているため、拡張ボードＢはそのまま挿入される。第１容器１１は、拡張ボードＢが挿入された際、コネクタＶ１とコネクタＶ２とが接続される位置に取り付けられている。拡張ボードＢが挿入口３より挿入方向Ｐに挿入されると、拡張ボードＢが収容器１０の収容空間Ｑに入る際に、拡張ボードＢは、レール１４，１５及びレール２６，２７に当接する。
【００２２】
拡張ボードＢが更に挿入されると、拡張ボードＢは、収容空間Ｑに入る。このとき、第２容器２５に働く付勢力Ｆによって拡張ボードＢにレール１４，１５及びレール２６，２７が接触し続ける。付勢力Ｆによって拡張ボードＢの挿入方向Ｐに対する高さが不変となる。即ち、付勢部Ｒの付勢力Ｆにより、第２容器２５は拡張ボードＢに接する方向に付勢され、コネクタＶ１とコネクタＶ２とが接続される位置に拡張ボードが位置決めされる。この状態において、拡張ボードＢに第１容器１１及び第２容器２５が接触し続け導通を確保するため、ＥＭＩへの影響も良好となる。
【００２３】
図８及び図９に示されるように、厚型の拡張ボードＢ１が挿入された際、拡張ボードＢ１は、第２容器２５を押し上げ、収容空間Ｑの容積を広げる。この状態でも第２容器２５に働く付勢力Ｆによって拡張ボードＢにレール１４，１５及びレール２６，２７が接触し続ける。厚型の拡張ボードＢ１のコネクタＶ１の底面からの高さは薄型の拡張ボードＢのコネクタＶ１の高さと同じであるため、付勢部Ｒの付勢力Ｆにより、第２容器２５は拡張ボードＢ１に接する方向に付勢され、この場合もコネクタＶ１とコネクタＶ２とが接続される位置に拡張ボードが位置決めされる。この状態においても、拡張ボードＢ１に第１容器１１及び第２容器２５が接触し続け導通を確保するため、ＥＭＩへの影響も良好となる。
【００２４】
上述したように、収容器１０を有する表示装置１によると、１個の挿入口３から異なる厚みを有する拡張ボードＢ，Ｂ１を収容することができる。これにより、表示装置１は、異なる厚みを有する拡張ボードＢ，Ｂ１を収容するためのそれぞれの実装面積を増やす必要が無くなる。そして、表示装置１は、異なる厚みを有する拡張ボードＢ，Ｂ１を収容する際に、拡張ボードＢ，Ｂ１のコネクタＶ１と表示装置１側のコネクタＶ２が接続される位置に拡張ボードＢ，Ｂ１を確実に位置決めすることができる。また、表示装置１によると、拡張ボードＢ，Ｂ１に第１容器１１及び第２容器２５が接触し続け導通を確保するため、ＥＭＩ対策も同時に行うことができる。
【００２５】
［第２実施形態］
拡張ボードＢを収容するための収容器は、適宜変更することができる。以下の説明では第１実施形態と同一の構成については同一の名称及び符号を適宜用い、同様の説明については適宜省略する。
【００２６】
図１０に示されるように、表示装置１内に取り付けられる収容器５０は、付勢部Ｒ２に板バネ５３を用いても良い。板状の第２容器５５は、矩形断面を有する第１容器５１内に設けられており、板バネ５３によって上下動して収容空間Ｑ２の容積を変化させる。即ち、収容器５０においては、付勢部Ｒ２が可変部Ｍ２となっている。言い換えれば、可変部Ｍ２は、第２容器５５を収容空間Ｑ２の記容積が小さくなる方向に付勢する付勢部Ｒ２からなる。
【００２７】
上述したように収容器５０によっても、異なる厚みを有する拡張ボードＢ，Ｂ１を収容することができる。そして、収容器５０によっても、異なる厚みを有する拡張ボードＢ，Ｂ１を収容する際に、拡張ボードＢ，Ｂ１のコネクタＶ１と表示装置１側のコネクタＶ２が接続される位置に拡張ボードＢ，Ｂ１を確実に位置決めすることができる。また、収容器５０によっても、拡張ボードＢ，Ｂ１に第１容器５１及び第２容器５５が接触し続けるため、ＥＭＩ対策も同時に行うことができる。
【００２８】
なお、本発明は上記実施形態に限られたものではなく、趣旨を逸脱しない範囲で適宜変更することが可能である。例えば、図１１に示されるように、収容器１０においてバネ２３の取り付け方法を変形してもよい。また、図１２に示されるように、収容器５０において、板バネ５３を弦巻バネ５９に置き換えても良い。また、上記実施形態で用いられた付勢部及び可変部は、第１容器あるいは第２容器のいずれかに一体に形成されていても良い。そして、上記実施形態で用いられた各構成要素の取り付け方法、配置は上記と同様の効果を発生させるために適宜変更しても良い。
【符号の説明】
【００２９】
１            表示装置
２            裏面
３            挿入口
４            蓋
１０            収容器
１１            第１容器
１１ａ            板状体
１２，１３        側板
１４，１５        レール
１６            ガイドピン
１６ａ            ネジ穴
１７，１８        フランジ
１９            穴
２３            バネ
２５            第２容器
２５ａ            板状体
２６，２７        レール
２８，２９        側板
３０            ガイド穴
３１            カラー
３１ａ            ネジ穴
５０            収容器
５１            第１容器
５３            板バネ
５５            第２容器
５９            弦巻バネ
Ｂ，Ｂ１          拡張ボード
Ｃ            ネジ
Ｍ            可変部
Ｍ２            可変部
Ｑ            内部空間
Ｑ２            収容空間
Ｒ            付勢部
Ｒ２            付勢部
Ｖ１            コネクタ
Ｖ２            コネクタ
【図１】
2017142350.tif 000003
【図２】
2017142350.tif 000004
【図３】
2017142350.tif 000005
【図４】
2017142350.tif 000006
【図５】
2017142350.tif 000007
【図６】
2017142350.tif 000008
【図７】
2017142350.tif 000009
【図８】
2017142350.tif 000010
【図９】
2017142350.tif 000011
【図１０】
2017142350.tif 000012
【図１１】
2017142350.tif 000013
【図１２】
2017142350.tif 000014
【図１３】
2017142350.tif 000015